(57)【要約】  プラズマディスプレイ装置において、コントラストを向上するとともに、安定に書込み放電を発生する。そのために、初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行う。そして、１フィールド内に、特定の放電セルで強制初期化動作を行い他の放電セルでは選択初期化動作を行う特定セル初期化サブフィールドと、全ての放電セルで選択初期化動作を行う選択初期化サブフィールドとを設ける。選択初期化期間においては、走査電極に下り傾斜波形電圧を印加するとともにデータ電極には正の電圧を印加する。そして、選択初期化サブフィールドでは、直前のサブフィールドの書込み期間において算出するデータ電極を駆動する際の負荷にもとづき、下り傾斜波形電圧の最低電圧を制御する。
2012073516.tif 000002
【特許請求の範囲】
【請求項１】
走査電極と維持電極とからなる表示電極対とデータ電極とを有する放電セルを複数備えたプラズマディスプレイパネルに、初期化期間と書込み期間と維持期間とを有するサブフィールドを１フィールド内に複数設けて階調を表示するプラズマディスプレイ装置の駆動方法であって、
前記初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行い、
１フィールド内には、特定の放電セルで強制初期化動作を行い他の放電セルでは選択初期化動作を行う初期化期間を有する特定セル初期化サブフィールドと、全ての放電セルで選択初期化動作を行う初期化期間を有する選択初期化サブフィールドとを設け、
前記選択初期化期間においては、前記走査電極に下り傾斜波形電圧を印加するとともに前記データ電極には正の電圧を印加し、
前記選択初期化サブフィールドでは、直前のサブフィールドの書込み期間において算出する前記データ電極を駆動する際の負荷にもとづき、前記下り傾斜波形電圧の最低電圧を制御する
ことを特徴とするプラズマディスプレイ装置の駆動方法。
【請求項２】
画像信号にもとづき設定される各サブフィールドにおける各放電セルの点灯・非点灯を表す画像データにもとづき放電セル毎の負荷値を算出し、
前記負荷値を累積加算することで前記書込み期間において前記データ電極を駆動する際の前記負荷を算出する
ことを特徴とする請求項１に記載のプラズマディスプレイ装置の駆動方法。
【請求項３】
前記負荷の大きさがしきい値を超えたサブフィールドでは、前記選択初期化期間において前記下り傾斜波形電圧の最低電圧を下げる
ことを特徴とする請求項１に記載のプラズマディスプレイ装置の駆動方法。
【請求項４】
走査電極と維持電極とからなる表示電極対とデータ電極とを有する放電セルを複数備えたプラズマディスプレイパネルと、初期化期間と書込み期間と維持期間とを有するサブフィールドを１フィールド内に複数設けて前記プラズマディスプレイパネルに階調を表示する駆動回路とを有するプラズマディスプレイ装置であって、
前記駆動回路は、
前記初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行い、
１フィールド内には、特定の放電セルで強制初期化動作を行い他の放電セルでは選択初期化動作を行う初期化期間を有する特定セル初期化サブフィールドと、全ての放電セルで選択初期化動作を行う初期化期間を有する選択初期化サブフィールドとを設け、
前記選択初期化期間においては、前記走査電極に下り傾斜波形電圧を印加するとともに前記データ電極には正の電圧を印加し、
前記選択初期化サブフィールドでは、直前のサブフィールドの書込み期間において算出する前記データ電極を駆動する際の負荷にもとづき、前記下り傾斜波形電圧の最低電圧を制御する
ことを特徴とするプラズマディスプレイ装置。
【発明の詳細な説明】
【技術分野】
【０００１】
本発明は、交流面放電型のプラズマディスプレイパネルを用いた画像表示装置であるプラズマディスプレイ装置の駆動方法およびプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
初期化動作には、強制初期化動作と、選択初期化動作とがある。強制初期化動作では、直前のサブフィールドの動作にかかわらず放電セルに強制的に初期化放電を発生する。選択初期化動作では、直前のサブフィールドの書込み期間で書込み放電を発生した放電セルだけに選択的に初期化放電を発生する。【０００８】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００９】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【００１０】
維持放電による蛍光体層の発光は階調表示に関係する発光である。一方、初期化期間の強制初期化動作にともなう発光は階調表示に関係しない発光である。【００１１】
パネルに表示される画像の品質を高める上で重要な要因の１つにコントラストの向上がある。そして、サブフィールド法によるパネルの駆動方法の１つとして、階調表示に関係しない発光を極力減らし、パネルに表示される画像のコントラストを向上させる駆動方法が開示されている（例えば、特許文献１参照）。【００１２】
この駆動方法では、１フィールドを構成する複数のサブフィールドのうち、１つのサブフィールドの初期化期間では全ての放電セルに初期化放電を発生する強制初期化動作を行う。また、他のサブフィールドの初期化期間では選択初期化動作を行う。【００１３】
また、強制初期化動作を行う際には、電圧が徐々に増加する緩やかな傾斜部分と、電圧が徐々に減少する緩やかな傾斜部分とを持つ傾斜波形電圧を走査電極に印加する。これにより、強制初期化動作を行う際に、放電セルに強い放電が発生して強い発光が発生することを防止する。【００１４】
維持放電を発生しない黒表示領域の輝度（以下、「黒輝度」と略記する）は、階調値の大きさに関係なく生じる発光によって変化する。この発光には、例えば、強制初期化動作によって生じる発光がある。【００１５】
上述した特許文献１に記載された駆動方法では、強制初期化動作は１フィールドに１回であり、黒表示領域における発光は、強制初期化動作を行うときの微弱発光だけとなる。これにより、サブフィールド毎に全ての放電セルで強制初期化動作を行う場合と比較して、パネルに表示される画像の黒輝度を低減し、コントラストの高い画像をパネルに表示することが可能となる。【００１６】
近年では、パネルの更なる大画面化・高精細化が求められている。そして、大画面化・高精細化したパネルでは、電極の数が増加するとともに、電極を駆動するときのインピーダンスも増大する。そのため、そのようなパネルでは、消費電力が増加しやすく、その結果、電極に印加する駆動波形に電圧低下が発生しやすい。【００１７】
そして、駆動波形に電圧低下が生じると、放電セルで放電が不安定に発生するおそれがあり、パネルにおける画像表示品質が低下するおそれがある。【００１８】
一方、パネルの大画面化、高精細化にともない、画像表示品質の更なる向上が望まれている。
【先行技術文献】
【特許文献】
【００１９】
【特許文献１】特開２０００−２４２２２４号公報
【発明の概要】
【００２０】
本発明は、走査電極と維持電極とからなる表示電極対とデータ電極とを有する放電セルを複数備えたパネルに、初期化期間と書込み期間と維持期間とを有するサブフィールドを１フィールド内に複数設けて階調を表示するプラズマディスプレイ装置の駆動方法である。この駆動方法では、初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行う。そして、１フィールド内には、特定の放電セルで強制初期化動作を行い他の放電セルでは選択初期化動作を行う初期化期間を有する特定セル初期化サブフィールドと、全ての放電セルで選択初期化動作を行う初期化期間を有する選択初期化サブフィールドとを設ける。選択初期化期間においては、走査電極に下り傾斜波形電圧を印加するとともにデータ電極には正の電圧を印加する。そして、選択初期化サブフィールドでは、直前のサブフィールドの書込み期間において算出するデータ電極を駆動する際の負荷にもとづき、下り傾斜波形電圧の最低電圧を制御する。
【００２１】
これにより、電極の数が増加し、電極を駆動するときのインピーダンスも増大しやすい大画面化・高精細化されたパネルを用いたプラズマディスプレイ装置においても、表示画像のコントラストを向上してプラズマディスプレイ装置における画像表示品質を向上するとともに、初期化放電による壁電荷の調整を十分に行い安定に書込み放電を発生することができる。
【００２２】
また、この駆動方法では、画像信号にもとづき設定される各サブフィールドにおける各放電セルの点灯・非点灯を表す画像データにもとづき放電セル毎の負荷値を算出する。そして、負荷値を累積加算することで書込み期間においてデータ電極を駆動する際の負荷を算出する。
【００２３】
また、この駆動方法では、負荷の大きさがしきい値を超えたサブフィールドでは、選択初期化期間において下り傾斜波形電圧の最低電圧を下げる。
【００２４】
また、本発明は、走査電極と維持電極とからなる表示電極対とデータ電極とを有する放電セルを複数備えたパネルと、初期化期間と書込み期間と維持期間とを有するサブフィールドを１フィールド内に複数設けてパネルに階調を表示する駆動回路とを有するプラズマディスプレイ装置である。このプラズマディスプレイ装置において、駆動回路は、初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行う。そして、１フィールド内には、特定の放電セルで強制初期化動作を行い他の放電セルでは選択初期化動作を行う初期化期間を有する特定セル初期化サブフィールドと、全ての放電セルで選択初期化動作を行う初期化期間を有する選択初期化サブフィールドとを設ける。選択初期化期間においては、走査電極に下り傾斜波形電圧を印加するとともにデータ電極には正の電圧を印加する。そして、選択初期化サブフィールドでは、直前のサブフィールドの書込み期間において算出するデータ電極を駆動する際の負荷にもとづき、下り傾斜波形電圧の最低電圧を制御する。
【００２５】
これにより、電極の数が増加し、電極を駆動するときのインピーダンスも増大しやすい大画面化・高精細化されたパネルを用いたプラズマディスプレイ装置においても、表示画像のコントラストを向上してプラズマディスプレイ装置における画像表示品質を向上するとともに、初期化放電による壁電荷の調整を十分に行い安定に書込み放電を発生することができる。
【図面の簡単な説明】
【００２６】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置に用いるパネルの各電極に印加する駆動電圧波形を概略的に示す図である。
【図４】図４は、本発明の一実施の形態におけるプラズマディスプレイ装置を構成する回路ブロックの一例を概略的に示す図である。
【図５】図５は、本発明の一実施の形態における走査電極駆動回路の一構成例を概略的に示す回路図である。
【図６】図６は、本発明の一実施の形態におけるデータ電極駆動回路の一構成を概略的に示す回路図である。
【図７】図７は、本発明の一実施の形態におけるプラズマディスプレイ装置においてパネルに表示する点灯パターンの一例を部分的に拡大して示す図である。
【図８】図８は、本発明の一実施の形態におけるプラズマディスプレイ装置においてパネルに表示する点灯パターンの他の例を部分的に拡大して示す図である。
【図９Ａ】図９Ａは、本発明の一実施の形態におけるプラズマディスプレイ装置において互いに隣接する放電セルの点灯パターンの一例を概略的に示す図である。
【図９Ｂ】図９Ｂは、本発明の一実施の形態におけるプラズマディスプレイ装置において互いに隣接する放電セルの点灯パターンの他の例を概略的に示す図である。
【図９Ｃ】図９Ｃは、本発明の一実施の形態におけるプラズマディスプレイ装置において互いに隣接する放電セルの点灯パターンの他の例を概略的に示す図である。
【図９Ｄ】図９Ｄは、本発明の一実施の形態におけるプラズマディスプレイ装置において互いに隣接する放電セルの点灯パターンの他の例を概略的に示す図である。
【図９Ｅ】図９Ｅは、本発明の一実施の形態におけるプラズマディスプレイ装置において互いに隣接する放電セルの点灯パターンの他の例を概略的に示す図である。
【図１０】図１０は、本発明の一実施の形態におけるプラズマディスプレイ装置においてパネルに表示する画像の図柄の一例を概略的に示す図である。
【図１１】図１１は、本発明の一実施の形態におけるプラズマディスプレイ装置において書込みパルスに生じる電圧低下の一例を概略的に示す図である。
【発明を実施するための形態】
【００２７】
以下、本発明の実施の形態におけるプラズマディスプレイ装置について、図面を用いて説明する。
【００２８】
（実施の形態）
図１は、本発明の一実施の形態におけるプラズマディスプレイ装置に用いるパネル１０の構造を示す分解斜視図である。
【００２９】
ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３０】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００３１】
保護層２６は、一つの層で構成されていてもよく、あるいは複数の層で構成されていてもよい。また、層の上に粒子が存在する構成であってもよい。
【００３２】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００３３】
これら前面基板２１と背面基板３１とを、微小な空間を挟んで表示電極対２４とデータ電極３２とが交差するように対向配置し、前面基板２１と背面基板３１との間隙に放電空間を設ける。そして、その外周部をガラスフリット等の封着材によって封着する。その放電空間には、例えばネオンとキセノンの混合ガスを放電ガスとして封入する。
【００３４】
放電空間は隔壁３４によって複数の区画に仕切られており、表示電極対２４とデータ電極３２とが交差する部分に放電セルが形成される。
【００３５】
そして、これらの放電セルで放電を発生し、放電セルの蛍光体層３５を発光（放電セルを点灯）することにより、パネル１０にカラーの画像を表示する。
【００３６】
なお、パネル１０においては、表示電極対２４が延伸する方向に配列された連続する３つの放電セルで１つの画素を構成する。この３つの放電セルとは、蛍光体層３５Ｒを有し赤色（Ｒ）に発光する放電セル（赤の放電セル）と、蛍光体層３５Ｇを有し緑色（Ｇ）に発光する放電セル（緑の放電セル）と、蛍光体層３５Ｂを有し青色（Ｂ）に発光する放電セル（青の放電セル）である。
【００３７】
なお、パネル１０の構造は上述したものに限られるわけではなく、例えばストライプ状の隔壁を備えたものであってもよい。
【００３８】
図２は、本発明の一実施の形態におけるプラズマディスプレイ装置に用いるパネル１０の電極配列図である。
【００３９】
パネル１０には、水平方向（行方向、ライン方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。
【００４０】
そして、１対の走査電極ＳＣｉ（ｉ＝１〜ｎ）および維持電極ＳＵｉと１つのデータ電極Ｄｊ（ｊ＝１〜ｍ）とが交差した領域に１つの放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００４１】
なお、本実施の形態においては、ｎ＝７６８とするが、本発明は何らこの数値に限定されるものではない。
【００４２】
次に、パネル１０を駆動するための駆動電圧波形とその動作の概要について説明する。
【００４３】
本実施の形態におけるプラズマディスプレイ装置は、サブフィールド法によってパネル１０を駆動する。サブフィールド法では、画像信号の１フィールドを時間軸上で複数のサブフィールドに分割し、各サブフィールドに輝度重みをそれぞれ設定する。したがって、各フィールドは輝度重みが異なる複数のサブフィールドを有する。
【００４４】
それぞれのサブフィールドは初期化期間、書込み期間および維持期間を有する。そして、画像信号にもとづき、サブフィールド毎に各放電セルの発光・非発光を制御する。すなわち、画像信号にもとづき、発光するサブフィールドと非発光のサブフィールドとを組み合わせることによって、画像信号にもとづく複数の階調をパネル１０に表示する。
【００４５】
初期化期間では、放電セルに初期化放電を発生し、続く書込み期間における書込み放電に必要な壁電荷を各電極上に形成する初期化動作を行う。
【００４６】
書込み期間では、走査電極２２に走査パルスを印加するとともにデータ電極３２に選択的に書込みパルスを印加し、発光するべき放電セルに選択的に書込み放電を発生する。そして、続く維持期間で維持放電を発生するための壁電荷をその放電セル内に形成する書込み動作を行う。
【００４７】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍数である。例えば、輝度倍数が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００４８】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００４９】
したがって、例えば、１フィールドを８つのサブフィールド（サブフィールドＳＦ１、サブフィールドＳＦ２、サブフィールドＳＦ３、サブフィールドＳＦ４、サブフィールドＳＦ５、サブフィールドＳＦ６、サブフィールドＳＦ７、サブフィールドＳＦ８）で構成し、サブフィールドＳＦ１からサブフィールドＳＦ８の各サブフィールドにそれぞれ（１、２、４、８、１６、３２、６４、１２８）の輝度重みを設定すれば、各放電セルは、階調値「０」から階調値「２５５」までの２５６通りの階調値を表示することができる。
【００５０】
こうして、画像信号に応じた組合せでサブフィールド毎に各放電セルの発光・非発光を制御して各サブフィールドを選択的に発光することにより、様々な階調値で各放電セルを発光し、画像をパネル１０に表示することができる。
【００５１】
なお、本発明は１フィールドを構成するサブフィールドの数、各サブフィールドが有する輝度重み等が上述した数値に限定されるものではない。
【００５２】
なお、初期化動作には、直前のサブフィールドの動作にかかわらず放電セルに初期化放電を発生する「強制初期化動作」と、直前のサブフィールドの書込み期間で書込み放電を発生し維持期間で維持放電を発生した放電セルだけに選択的に初期化放電を発生する「選択初期化動作」とがある。強制初期化動作では上昇する上り傾斜波形電圧および下降する下り傾斜波形電圧を走査電極２２に印加し、画像表示領域内の全ての放電セルに初期化放電を発生する。
【００５３】
そして、１フィールドを構成する複数のサブフィールドのうち、１つのサブフィールドの初期化期間では「特定セル初期化動作」を行い、他のサブフィールドの初期化期間では全ての放電セルで選択初期化動作を行う。
【００５４】
特定セル初期化動作とは、特定の放電セルで強制初期化動作を行い、他の放電セルでは選択初期化動作を行う初期化動作のことである。したがって、特定セル初期化動作を行う初期化期間では、特定の放電セルには強制初期化動作を行うための強制初期化波形を印加し、他の放電セルには選択初期化動作を行うための選択初期化波形を印加する。以下、特定セル初期化動作を行う初期化期間を「特定セル初期化期間」と呼称し、特定セル初期化期間を有するサブフィールドを「特定セル初期化サブフィールド」と呼称する。また、全ての放電セルで選択初期化動作を行う初期化期間を「選択初期化期間」と呼称し、選択初期化期間を有するサブフィールドを「選択初期化サブフィールド」と呼称する。
【００５５】
なお、本実施の形態では、１フィールドをサブフィールドＳＦ１からサブフィールドＳＦ１０までの１０のサブフィールドで構成し、サブフィールドＳＦ１からサブフィールドＳＦ１０までの各サブフィールドにはそれぞれ（１、２、３、６、１１、１８、３０、４４、６０、８０）の輝度重みを設定する例を説明する。そして、サブフィールドＳＦ１を特定セル初期化サブフィールドとし、サブフィールドＳＦ２からサブフィールドＳＦ１０を選択初期化サブフィールドとする。
【００５６】
そして、本実施の形態では、各フィールドの最初のサブフィールド（サブフィールドＳＦ１）を特定セル初期化サブフィールドとし、他のサブフィールドは選択初期化サブフィールドとする。
【００５７】
また、本実施の形態では、特定セル初期化サブフィールドにおいて強制初期化動作を行う放電セルが互いに異なる「第１のフィールド」と「第２のフィールド」とを交互に発生してパネル１０を駆動する。以下、強制初期化動作の発生パターンについて説明する。
【００５８】
本実施の形態において、第１のフィールドにおける特定セル初期化サブフィールドでは、配置的に見て奇数番目の走査電極２２上に形成される放電セルで強制初期化動作を行う。また、第２のフィールドにおける特定セル初期化サブフィールドでは、配置的に見て偶数番目の走査電極２２上に形成される放電セルで強制初期化動作を行う。そして、「第１のフィールド」と「第２のフィールド」とを交互に発生する。こうすることで、本実施の形態では、各放電セルにおいて２フィールドに１回ずつ強制初期化動作を行う。
【００５９】
本実施の形態においては、このようにパネル１０を駆動することで、黒輝度を上昇させる要因となる発光を極力減らして黒輝度を低減し、表示画像のコントラスト比を向上する。これは次のような理由による。
【００６０】
黒輝度を上昇させる要因の１つに、初期化放電による発光がある。ただし、選択初期化動作は、直前のサブフィールドで維持放電を発生しなかった放電セルでは放電が発生しないので、黒輝度の明るさに実質的に影響を与えない。しかし、強制初期化動作は、直前のサブフィールドの動作にかかわらず放電セルに初期化放電が発生するので、黒輝度の明るさに影響を与える。すなわち、強制初期化動作の発生頻度が大きくなるほど黒輝度は上昇する。したがって、各放電セルで強制初期化動作を行う頻度を低減すれば、表示画像の黒輝度を低減し、コントラストを向上することができる。
【００６１】
本実施の形態では、第１のフィールドと、第２のフィールドとを交互に発生する。第１のフィールドは、配置的に見て奇数番目の走査電極２２上に形成される放電セルで強制初期化動作を行う特定セル初期化サブフィールドを有する。第２のフィールドは、配置的に見て偶数番目の走査電極２２上に形成される放電セルで強制初期化動作を行う特定セル初期化サブフィールドを有する。
【００６２】
これにより、各放電セルで強制初期化動作を行う回数を、２フィールドに１回にすることができる。したがって、この構成では、フィールド毎に全ての放電セルで強制初期化動作を行う構成と比較して、各放電セルで強制初期化動作を行う頻度を半分に低減できるので、黒輝度を低減し、パネル１０に表示される画像のコントラスト比を向上することができる。
【００６３】
また、少なくとも２フィールドに１回は全ての放電セルで初期化放電を発生するので、強制初期化動作以降の書込み動作を安定化することができる。
【００６４】
しかし、本実施の形態は、１フィールドを構成するサブフィールドの数、強制初期化動作の発生頻度、各サブフィールドの輝度重み等が上述した数値に限定されるものではない。また、画像信号等にもとづいてサブフィールド構成を切り換える構成であってもよい。
【００６５】
図３は、本発明の一実施の形態におけるプラズマディスプレイ装置に用いるパネル１０の各電極に印加する駆動電圧波形を概略的に示す図である。
【００６６】
図３には、書込み期間において最初に書込み動作を行う走査電極ＳＣ１、書込み期間において２番目に書込み動作を行う走査電極ＳＣ２、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００６７】
また、図３には、特定セル初期化サブフィールドであるサブフィールドＳＦ１と、選択初期化サブフィールドであるサブフィールドＳＦ２およびサブフィールドＳＦ３を示す。サブフィールドＳＦ１と、サブフィールドＳＦ２〜サブフィールドＳＦ１０とでは、初期化期間に走査電極２２に印加する駆動電圧の波形形状が異なる。
【００６８】
なお、サブフィールドＳＦ４以降のサブフィールドは図示していないが、サブフィールドＳＦ１を除く各サブフィールドは選択初期化サブフィールドであり、維持パルスの発生数を除き、各期間でほぼ同様の駆動電圧波形を発生する。また、図３には、走査電極ＳＣ１を有する放電セルで強制初期化動作を行い、走査電極ＳＣ２を有する放電セルでは強制初期化動作を行わず選択初期化動作だけを行う第１のフィールドを示すが、第１のフィールドのサブフィールドＳＦ１と第２のフィールドのサブフィールドＳＦ１とは初期化期間に強制初期化波形を印加する走査電極２２が異なるだけであり、それ以外はほぼ同様の駆動電圧波形を各電極に印加する。
【００６９】
まず、特定セル初期化サブフィールドであるサブフィールドＳＦ１について説明する。
【００７０】
なお、上述したように、本実施の形態においては、第１のフィールドの特定セル初期化サブフィールド（サブフィールドＳＦ１）では、配置的に見て上から奇数番目、すなわち（１＋２×Ｎ）番目（Ｎは０以上の整数）の走査電極ＳＣ（１＋２×Ｎ）には、強制初期化動作を行うための強制初期化波形を印加する。また、配置的に見て上から偶数番目、すなわち（２＋２×Ｎ）番目の走査電極ＳＣ（２＋２×Ｎ）には、選択初期化動作を行うための選択初期化波形を印加する。図３には、奇数番目の走査電極ＳＣ（１＋２×Ｎ）の代表例として走査電極ＳＣ１を示し、奇数番目の走査電極ＳＣ（２＋２×Ｎ）の代表例として走査電極ＳＣ２を示す。
【００７１】
特定セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。配置的に見て上から奇数番目の走査電極ＳＣ（１＋２×Ｎ）（例えば、走査電極ＳＣ１）には、電圧０（Ｖ）を印加した後に電圧Ｖｉ１を印加し、電圧Ｖｉ１から電圧Ｖｉ２に向かって緩やかに（例えば、約１．３Ｖ／μｓｅｃの勾配で）上昇する傾斜波形電圧（以下、「上りランプ電圧Ｌ１」と呼称する）を印加する。このとき、電圧Ｖｉ１は、維持電極ＳＣ（１＋２×Ｎ）に対して放電開始電圧よりも低い電圧に設定し、電圧Ｖｉ２は、維持電極ＳＣ（１＋２×Ｎ）に対して放電開始電圧を超える電圧に設定する。
【００７２】
この上りランプ電圧Ｌ１が上昇する間に、各放電セルの走査電極ＳＣ（１＋２×Ｎ）と維持電極ＳＵ（１＋２×Ｎ）との間、および走査電極ＳＣ（１＋２×Ｎ）とデータ電極Ｄ１〜データ電極Ｄｍとの間に、それぞれ微弱な初期化放電が持続して発生する。そして、走査電極ＳＣ（１＋２×Ｎ）上に負極性の壁電圧が蓄積され、走査電極ＳＣ（１＋２×Ｎ）と交差するデータ電極Ｄ１〜データ電極Ｄｍ上および維持電極ＳＵ（１＋２×Ｎ）上には正極性の壁電圧が蓄積される。さらに、書込み放電の放電遅れ時間（放電セルに印加する電圧が放電開始電圧を超えてから、放電セルに放電が発生するまでの時間長のこと）を短くするプライミングも発生する。この電極上の壁電圧とは、電極を覆う誘電体層上、保護層上、蛍光体層上等に蓄積された壁電荷により生じる電圧を表す。
【００７３】
サブフィールドＳＦ１の初期化期間の後半部では、維持電極ＳＵ１〜維持電極ＳＵｎには正の電圧Ｖｅを印加し、データ電極Ｄ１〜データ電極Ｄｍには電圧０（Ｖ）を印加する。走査電極ＳＣ（１＋２×Ｎ）には、電圧Ｖｉ３から負の電圧Ｖｉ４に向かって緩やかに（例えば、約−１．５Ｖ／μｓｅｃの勾配で）下降する下り傾斜波形電圧（以下、「下りランプ電圧Ｌ２」と呼称する）を印加する。電圧Ｖｉ３は、維持電極ＳＵ（１＋２×Ｎ）に対して放電開始電圧未満の電圧に設定し、電圧Ｖｉ４は、維持電極ＳＵ（１＋２×Ｎ）に対して放電開始電圧を超える電圧に設定する。
【００７４】
この下りランプ電圧Ｌ２を走査電極ＳＣ（１＋２×Ｎ）に印加する間に、各放電セルの走査電極ＳＣ（１＋２×Ｎ）と維持電極ＳＵ（１＋２×Ｎ）との間、および走査電極ＳＣ（１＋２×Ｎ）とデータ電極Ｄ１〜データ電極Ｄｍとの間に、それぞれ微弱な初期化放電が発生する。これにより、走査電極ＳＣ（１＋２×Ｎ）上の負極性の壁電圧、維持電極ＳＵ（１＋２×Ｎ）上の正極性の壁電圧、および走査電極ＳＣ（１＋２×Ｎ）と交差するデータ電極Ｄ１〜データ電極Ｄｍ上の正極性の壁電圧は、書込み期間での書込み動作に適した電圧に調整される。さらに、書込み放電の放電遅れ時間を短くするプライミングも発生する。
【００７５】
以上の電圧波形が、直前のサブフィールドの動作にかかわらず放電セルに初期化放電を発生する強制初期化波形である。そして、強制初期化波形を走査電極２２に印加する動作が強制初期化動作である。
【００７６】
一方、サブフィールドＳＦ１の初期化期間前半部において、配置的に見て上から偶数番目の走査電極ＳＣ（２＋２×Ｎ）には、電圧Ｖｉ１を印加せず、電圧０（Ｖ）から電圧Ｖｉ３に向かって緩やかに上昇する上りランプ電圧Ｌ１’を印加する。この上りランプ電圧Ｌ１’は、上りランプ電圧Ｌ１と同じ勾配で、上りランプ電圧Ｌ１と同じ時間だけ上昇を続ける電圧波形である。したがって、電圧Ｖｉ３は、電圧Ｖｉ２から電圧Ｖｉ１を引いた電圧に等しい電圧となる。このとき、電圧Ｖｉ３は維持電極ＳＵ（２＋２×Ｎ）に対して放電開始電圧未満の電圧となるように各電圧および上りランプ電圧Ｌ１’を設定する。これにより、上りランプ電圧Ｌ１’を印加した放電セルでは放電は実質的に発生しない。
【００７７】
サブフィールドＳＦ１の初期化期間後半部において、走査電極ＳＣ（２＋２×Ｎ）には、走査電極ＳＣ（１＋２×Ｎ）と同様に、下りランプ電圧Ｌ２を印加する。
【００７８】
この下りランプ電圧Ｌ２を走査電極ＳＣ（１＋２×Ｎ）に印加する間に、直前のサブフィールド（図３では、サブフィールドＳＦ１）の維持期間に維持放電を発生した放電セルでは、微弱な初期化放電が発生する。そして、この初期化放電により、走査電極２２の負極性の壁電圧、維持電極２３上の正極性の壁電圧、およびデータ電極３２上の正極性の壁電圧は、書込み期間での書込み動作に適した電圧に調整される。こうして、放電セル内の壁電圧は書込み動作に適した壁電圧に調整される。さらに、書込み放電の放電遅れ時間を短くするプライミングも発生する。
【００７９】
一方、直前のサブフィールド（サブフィールドＳＦ１０）の維持期間に維持放電を発生しなかった放電セルでは、初期化放電は発生せず、それ以前の壁電圧が保たれる。
【００８０】
このように、第２のフィールドのサブフィールドＳＦ１において、配置的に見て上から偶数番目の走査電極ＳＣ（２＋２×Ｎ）上に形成された放電セルにおける初期化動作は、直前のサブフィールドの書込み期間で書込み動作を行った放電セルで選択的に初期化放電を発生する選択初期化動作となる。
【００８１】
以上の電圧波形が、サブフィールドＳＦ１において走査電極ＳＣ（２＋２×Ｎ）に印加する選択初期化波形である。
【００８２】
なお、詳細な説明は省略するが、第２のフィールドの特定セル初期化サブフィールド（サブフィールドＳＦ１）では、初期化期間において、配置的に見て上から偶数番目、すなわち（２＋２×Ｎ）番目の走査電極ＳＣ（２＋２×Ｎ）には、強制初期化動作のための強制初期化波形を印加する。そして、配置的に見て上から奇数番目、すなわち（１＋２×Ｎ）番目の走査電極ＳＣ（１＋２×Ｎ）には、選択初期化動作のための選択初期化波形を印加する。
【００８３】
以上により、特定セル初期化サブフィールド（サブフィールドＳＦ１）の初期化期間における特定セル初期化動作が終了する。そして、特定セル初期化サブフィールドの初期化期間では、強制初期化動作を行う放電セルと選択初期化動作を行う放電セルとが混在する。
【００８４】
サブフィールドＳＦ１の書込み期間では、維持電極ＳＵ１〜維持電極ＳＵｎには電圧Ｖｅを印加し、データ電極Ｄ１〜データ電極Ｄｍには電圧０（Ｖ）を印加し、走査電極ＳＣ１〜走査電極ＳＣｎには電圧Ｖｃを印加する。
【００８５】
次に、配置的に見て上から１番目（１行目）の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【００８６】
書込みパルスの電圧Ｖｄを印加したデータ電極Ｄｋと走査パルスの電圧Ｖａを印加した走査電極ＳＣ１との交差部にある放電セルでは、データ電極Ｄｋと走査電極ＳＣ１との電圧差が放電開始電圧を超え、データ電極Ｄｋと走査電極ＳＣ１との間に放電が発生する。
【００８７】
また、維持電極ＳＵ１〜維持電極ＳＵｎに電圧Ｖｅを印加しているため、データ電極Ｄｋと走査電極ＳＣ１との間に発生する放電に誘発されて、データ電極Ｄｋと交差する領域にある維持電極ＳＵ１と走査電極ＳＣ１との間にも放電が発生する。こうして、走査パルスの電圧Ｖａと書込みパルスの電圧Ｖｄとが同時に印加された放電セル（発光するべき放電セル）に書込み放電が発生する。
【００８８】
書込み放電が発生した放電セルでは、走査電極ＳＣ１上に正の壁電圧が蓄積され、維持電極ＳＵ１上に負の壁電圧が蓄積され、データ電極Ｄｋ上にも負の壁電圧が蓄積される。
【００８９】
このようにして、１行目の放電セルにおける書込み動作が終了する。なお、書込みパルスを印加しなかった放電セルでは、書込み放電は発生せず、初期化期間終了後の壁電圧が保たれる。
【００９０】
次に、配置的に見て上から２番目（２行目）の走査電極ＳＣ２に電圧Ｖａの走査パルスを印加するとともに、２行目に発光するべき放電セルに対応するデータ電極Ｄｋに電圧Ｖｄの書込みパルスを印加する。これにより、走査パルスと書込みパルスとが同時に印加された２行目の放電セルでは書込み放電が発生する。こうして、２行目の放電セルにおける書込み動作を行う。
【００９１】
同様の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに維持放電のための壁電荷を形成する。
【００９２】
なお、初期化期間後半に維持電極ＳＵ１〜維持電極ＳＵｎに印加する電圧Ｖｅと、書込み期間に維持電極ＳＵ１〜維持電極ＳＵｎに印加する電圧Ｖｅとは互いに異なる電圧値であってもよい。
【００９３】
サブフィールドＳＦ１の維持期間では、まず維持電極ＳＵ１〜維持電極ＳＵｎに電圧０（Ｖ）を印加する。そして、走査電極ＳＣ１〜走査電極ＳＣｎに正の電圧Ｖｓの維持パルスを印加する。
【００９４】
この維持パルスの印加により、書込み放電を発生した放電セルでは、走査電極ＳＣｉと維持電極ＳＵｉとの電圧差が放電開始電圧を超え、維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【００９５】
続いて、走査電極ＳＣ１〜走査電極ＳＣｎに電圧０（Ｖ）を印加し、維持電極ＳＵ１〜維持電極ＳＵｎに電圧Ｖｓの維持パルスを印加する。直前に維持放電を発生した放電セルでは再び維持放電が発生し、維持電極ＳＵｉ上に負の壁電圧が蓄積され、走査電極ＳＣｉ上に正の壁電圧が蓄積される。
【００９６】
以降同様に、走査電極ＳＣ１〜走査電極ＳＣｎと維持電極ＳＵ１〜維持電極ＳＵｎとに、輝度重みに所定の輝度倍数を乗じた数の維持パルスを交互に印加する。こうして、書込み期間において書込み放電を発生した放電セルは、輝度重みに応じた回数の維持放電を発生し、輝度重みに応じた輝度で発光する。
【００９７】
そして、維持期間における維持パルスの発生後（維持期間の最後）に、維持電極ＳＵ１〜維持電極ＳＵｎおよびデータ電極Ｄ１〜データ電極Ｄｍに電圧０（Ｖ）を印加したまま、走査電極ＳＣ１〜走査電極ＳＣｎに電圧０（Ｖ）から電圧Ｖｅｒｓまで緩やかに（例えば、約１０Ｖ／μｓｅｃの勾配で）上昇する傾斜波形電圧（以下、「消去ランプ電圧Ｌ３」と呼称する）を印加する。
【００９８】
電圧Ｖｅｒｓを放電開始電圧を超える電圧に設定することで、走査電極ＳＣ１〜走査電極ＳＣｎへ印加する消去ランプ電圧Ｌ３が放電開始電圧を超えて上昇する間に、維持放電を発生した放電セルの維持電極ＳＵｉと走査電極ＳＣｉとの間に、微弱な放電（消去放電）が持続して発生する。
【００９９】
この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積される。これにより、データ電極Ｄｋ上の正極性の壁電圧を残したまま、走査電極ＳＣｉ上の壁電圧および維持電極ＳＵｉ上の壁電圧が弱められる。こうして、放電セル内における不要な壁電荷が消去される。
【０１００】
走査電極ＳＣ１〜走査電極ＳＣｎに印加する電圧が電圧Ｖｅｒｓに到達したら、走査電極ＳＣ１〜走査電極ＳＣｎへの印加電圧を電圧０（Ｖ）まで下降する。こうして、サブフィールドＳＦ１の維持期間における維持動作が終了する。
【０１０１】
以上により、サブフィールドＳＦ１が終了する。
【０１０２】
次に、選択初期化サブフィールドについてサブフィールドＳＦ２を例に挙げて説明する。
【０１０３】
サブフィールドＳＦ２の初期化期間では、データ電極Ｄ１〜データ電極Ｄｍに正極性の電圧Ｖｇを印加する。維持電極ＳＵ１〜維持電極ＳＵｎには電圧Ｖｅよりも高い電圧Ｖｈを印加する。
【０１０４】
走査電極ＳＣ１〜走査電極ＳＣｎには放電開始電圧未満となる電圧（例えば、電圧０（Ｖ））から負極性の電圧Ｖｉ５に向かって、下りランプ電圧Ｌ２と同じ勾配で下降する下りランプ電圧Ｌ４を印加する。電圧Ｖｉ５は、放電開始電圧を超える電圧に設定する。
【０１０５】
なお、この電圧Ｖｉ５は、後述するデータ負荷検出回路３７における算出結果にもとづき制御される。この制御の詳細は後述する。
【０１０６】
この下りランプ電圧Ｌ４を走査電極ＳＣ１〜走査電極ＳＣｎに印加する間に、直前のサブフィールド（図３では、サブフィールドＳＦ１）の維持期間に維持放電を発生した放電セルでは、微弱な初期化放電が発生する。
【０１０７】
そして、この初期化放電により、走査電極ＳＣｉ上および維持電極ＳＵｉ上の壁電圧が弱められる。また、データ電極Ｄｋ上に蓄積された壁電圧の過剰な部分が放電される。こうして、放電セル内の壁電圧は書込み動作に適した壁電圧に調整される。
【０１０８】
一方、直前のサブフィールド（サブフィールドＳＦ１）の維持期間に維持放電を発生しなかった放電セルでは、初期化放電は発生せず、それ以前の壁電圧が保たれる。
【０１０９】
上述の波形が、直前のサブフィールドの書込み期間で書込み動作を行った放電セルで選択的に初期化放電を発生する選択初期化波形である。そして、選択初期化波形を走査電極２２に印加する動作が選択初期化動作である。
【０１１０】
以上により、選択初期化サブフィールドであるサブフィールドＳＦ２の初期化期間における選択初期化動作が終了する。
【０１１１】
サブフィールドＳＦ１の初期化期間に発生する選択初期化波形と、サブフィールドＳＦ２の初期化期間に発生する選択初期化波形とは、波形形状が互いに異なる。しかし、サブフィールドＳＦ１の初期化期間に発生する選択初期化波形は、初期化期間前半部では放電が発生せず、初期化期間後半部の動作はサブフィールドＳＦ２の初期化期間における選択初期化動作と実質的に同等である。したがって、本実施の形態では、サブフィールドＳＦ１の初期化期間に発生する、上りランプ電圧Ｌ１’と下りランプ電圧Ｌ２とを有する初期化波形を、選択初期化波形としている。
【０１１２】
サブフィールドＳＦ２の書込み期間では、サブフィールドＳＦ１の書込み期間と同様の駆動電圧波形を各電極に印加する。続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加する。
【０１１３】
サブフィールドＳＦ３以降の各サブフィールドでは、維持期間に発生する維持パルスの数を除き、サブフィールドＳＦ２と同様の駆動電圧波形を各電極に印加する。
【０１１４】
以上が、本実施の形態においてパネル１０の各電極に印加する駆動電圧波形の概要である。
【０１１５】
なお、本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７０（Ｖ）、電圧Ｖｉ５＝−１１０（Ｖ）、電圧Ｖｃ＝−５０（Ｖ）、電圧Ｖａ＝−２００（Ｖ）、電圧Ｖｓ＝２００（Ｖ）、電圧Ｖｅｒｓ＝２００（Ｖ）、電圧Ｖｅ＝１７０（Ｖ）、電圧Ｖｄ＝６０（Ｖ）、電圧Ｖｇ＝６０（Ｖ）、電圧Ｖｈ＝２００（Ｖ）である。
【０１１６】
しかし、上述した電圧値や勾配の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１１７】
なお、本実施の形態では、サブフィールドＳＦ１を強制初期化動作を行う特定セル初期化サブフィールドとし、他のサブフィールド（サブフィールドＳＦ２〜サブフィールドＳＦ１０）を選択初期化動作を行う選択初期化サブフィールドとする例を説明した。しかし、本発明は何らこの構成に限定されるものではない。例えば、サブフィールドＳＦ１を選択初期化サブフィールドとしたり、あるいは複数のサブフィールドを特定セル初期化サブフィールドとしてもよい。
【０１１８】
次に、本実施の形態におけるプラズマディスプレイ装置の構成について説明する。
【０１１９】
図４は、本発明の一実施の形態におけるプラズマディスプレイ装置３０を構成する回路ブロックの一例を概略的に示す図である。
【０１２０】
プラズマディスプレイ装置３０は、パネル１０と、パネル１０を駆動する駆動回路とを備えている。駆動回路は、画像信号処理回路３６、データ負荷検出回路３７、データ電極駆動回路４２、走査電極駆動回路４３、維持電極駆動回路４４、制御信号発生回路４０および各回路ブロックに必要な電源を供給する電源回路（図示せず）を備えている。
【０１２１】
画像信号処理回路３６に入力される画像信号は、赤の画像信号、緑の画像信号、青の画像信号である。画像信号処理回路３６は、赤の画像信号、緑の画像信号、青の画像信号にもとづき、各放電セルに赤、緑、青の各階調値（１フィールドで表現される階調値）を設定する。なお、画像信号処理回路３６は、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき赤の画像信号、緑の画像信号、青の画像信号を算出し、その後、各放電セルに赤、緑、青の各階調値を設定する。そして、各放電セルに設定した赤、緑、青の階調値を、サブフィールド毎の点灯・非点灯を示す画像データ（発光・非発光をデジタル信号の「１」、「０」に対応させたデータのこと）に変換する。すなわち、画像信号処理回路３６は、赤の画像信号、緑の画像信号、青の画像信号を、赤の画像データ、緑の画像データ、青の画像データに変換して出力する。
【０１２２】
データ負荷検出回路３７は、画像信号処理回路３６から供給される画像データが示す各放電セルにおけるサブフィールド毎の点灯パターンにもとづき、データ電極駆動回路４２が発生する書込みパルスの発生パターンを検出し、データ電極駆動回路４２が書込みパルスを各データ電極Ｄ１〜データ電極Ｄｍに印加するときの負荷の大きさ（以下、「負荷値」と記す）を算出する。そして、データ負荷検出回路３７は、その算出結果にもとづき、電源回路からデータ電極駆動回路４２に供給される電源電圧の電圧低下を推定し、その推定結果を制御信号発生回路４０に出力する。データ負荷検出回路３７の動作の詳細は後述する。
【０１２３】
制御信号発生回路４０は、水平同期信号、垂直同期信号、データ負荷検出回路３７からの出力にもとづき、各回路ブロックの動作を制御する各種の制御信号を発生する。そして、発生した制御信号をそれぞれの回路ブロック（データ電極駆動回路４２、走査電極駆動回路４３、維持電極駆動回路４４、および画像信号処理回路３６等）へ供給する。制御信号発生回路４０は、データ負荷検出回路３７から出力される信号にもとづき、選択初期化波形の最低電圧を制御する。この制御の詳細については後述する。
【０１２４】
走査電極駆動回路４３は、初期化波形発生回路、維持パルス発生回路、走査パルス発生回路（図４には示さず）を備え、制御信号発生回路４０から供給される制御信号にもとづいて駆動電圧波形を作成し、走査電極ＳＣ１〜走査電極ＳＣｎのそれぞれに印加する。初期化波形発生回路は、制御信号にもとづき、初期化期間に、走査電極ＳＣ１〜走査電極ＳＣｎに印加する強制初期化波形および選択初期化波形を発生する。維持パルス発生回路は、制御信号にもとづき、維持期間に、走査電極ＳＣ１〜走査電極ＳＣｎに印加する維持パルスを発生する。走査パルス発生回路は、複数の走査電極駆動ＩＣ（走査ＩＣ）を備え、制御信号にもとづき、書込み期間に、走査電極ＳＣ１〜走査電極ＳＣｎに印加する走査パルスを発生する。そして、走査電極駆動回路４３は、制御信号発生回路４０から出力される制御信号にもとづく最低電圧で選択初期化波形を発生する。
【０１２５】
維持電極駆動回路４４は、維持パルス発生回路、電圧Ｖｅを発生する回路、および電圧Ｖｈを発生する回路（図４には示さず）を備え、制御信号発生回路４０から供給される制御信号にもとづいて駆動電圧波形を作成し、維持電極ＳＵ１〜維持電極ＳＵｎのそれぞれに印加する。維持期間では、制御信号にもとづいて維持パルスを発生し、維持電極ＳＵ１〜維持電極ＳＵｎに印加する。初期化期間では、制御信号にもとづいて電圧Ｖｅまたは電圧Ｖｈを発生し、書込み期間では、制御信号にもとづいて電圧Ｖｅを発生して、維持電極ＳＵ１〜維持電極ＳＵｎに印加する。
【０１２６】
データ電極駆動回路４２は、画像信号処理回路３６から出力される各色の画像データおよび制御信号発生回路４０から供給される制御信号にもとづき、各データ電極Ｄ１〜データ電極Ｄｍに対応する書込みパルスを発生する。そして、データ電極駆動回路４２は、その書込みパルスを書込み期間に各データ電極Ｄ１〜データ電極Ｄｍに印加する。また、選択初期化期間では、制御信号にもとづいて電圧Ｖｇを発生し、データ電極Ｄ１〜データ電極Ｄｍに印加する。
【０１２７】
次に、走査電極駆動回路４３の詳細とその動作について説明する。
【０１２８】
図５は、本発明の一実施の形態における走査電極駆動回路４３の一構成例を概略的に示す回路図である。走査電極駆動回路４３は、維持パルスを発生する維持パルス発生回路５０と、初期化波形を発生する初期化波形発生回路５１と、走査パルスを発生する走査パルス発生回路５２とを備える。そして、走査パルス発生回路５２の各出力端子は、パネル１０の走査電極ＳＣ１〜走査電極ＳＣｎのそれぞれに接続されている。
【０１２９】
なお、本実施の形態では、走査パルス発生回路５２に入力される電圧を「基準電位Ａ」と記す。また、以下の説明においてスイッチング素子を導通させる動作を「オン」、遮断させる動作を「オフ」と表記し、スイッチング素子をオンさせる信号を「Ｈｉ」、オフさせる信号を「Ｌｏ」と表記する。なお、図５では、各回路に入力される制御信号（制御信号発生回路４０から供給される制御信号）の信号経路の詳細は省略する。
【０１３０】
また、図５には、負極性の電圧Ｖａを用いた回路（例えば、ミラー積分回路５４）が動作しているときに、その回路と、維持パルス発生回路５０、電圧Ｖｒを用いた回路（例えば、ミラー積分回路５３）、および電圧Ｖｅｒｓを用いた回路（例えば、ミラー積分回路５５）とを電気的に分離するためのスイッチング素子Ｑ７を用いた分離回路を示している。また、電圧Ｖｒを用いた回路（例えば、ミラー積分回路５３）が動作しているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示している。
【０１３１】
維持パルス発生回路５０は、電力回収回路５６とクランプ回路５７とを備えている。
【０１３２】
電力回収回路５６は、電力回収用のコンデンサＣ１１、スイッチング素子Ｑ１１、スイッチング素子Ｑ１２、逆流防止用のダイオードＤｉ１、ダイオードＤｉ２、共振用のインダクタＬ１１を有している。なお、電力回収用のコンデンサＣ１１は電極間容量Ｃｐに比べて十分に大きい容量を持ち、電力回収回路５６の電源として働くように、電圧値Ｖｓの半分の約Ｖｓ／２に充電されている。
【０１３３】
クランプ回路５７は、走査電極ＳＣ１〜走査電極ＳＣｎを電圧Ｖｓにクランプするためのスイッチング素子Ｑ１３、走査電極ＳＣ１〜走査電極ＳＣｎを電圧０（Ｖ）にクランプするためのスイッチング素子Ｑ１４を有している。そして、タイミング発生回路４５から出力されるタイミング信号にもとづき各スイッチング素子を切り換えて維持パルスを発生する。
【０１３４】
例えば、維持パルスを立ち上げる際には、スイッチング素子Ｑ１１をオンにして電極間容量ＣｐとインダクタＬ１１とを共振させ、電力回収用のコンデンサＣ１１に蓄えられた電力を、スイッチング素子Ｑ１１、ダイオードＤｉ１、インダクタＬ１１を介して走査電極ＳＣ１〜走査電極ＳＣｎに供給する。そして、走査電極ＳＣ１〜走査電極ＳＣｎの電圧が電圧Ｖｓに近づいた時点で、スイッチング素子Ｑ１３をオンにして、走査電極ＳＣ１〜走査電極ＳＣｎを電圧Ｖｓにクランプする。
【０１３５】
維持パルスを立ち下げる際には、スイッチング素子Ｑ１２をオンにして電極間容量ＣｐとインダクタＬ１１とを共振させ、電極間容量Ｃｐの電力を、インダクタＬ１１、ダイオードＤｉ２、スイッチング素子Ｑ１２を通して電力回収用のコンデンサＣ１１に回収する。そして、走査電極ＳＣ１〜走査電極ＳＣｎの電圧が電圧０（Ｖ）に近づいた時点で、スイッチング素子Ｑ１４をオンにして、走査電極ＳＣ１〜走査電極ＳＣｎを電圧０（Ｖ）にクランプする。
【０１３６】
初期化波形発生回路５１は、ミラー積分回路５３と、ミラー積分回路５４と、ミラー積分回路５５とを有する。図５には、ミラー積分回路５３の入力端子を入力端子ＩＮ１、ミラー積分回路５４の入力端子を入力端子ＩＮ２、ミラー積分回路５５の入力端子を入力端子ＩＮ３と示している。なお、ミラー積分回路５３およびミラー積分回路５５は上昇する傾斜電圧を発生し、ミラー積分回路５４は下降する傾斜電圧を発生する。
【０１３７】
ミラー積分回路５３は、スイッチング素子Ｑ１とコンデンサＣ１と抵抗Ｒ１とを有し、初期化動作時に、走査電極駆動回路４３の基準電位Ａを電圧Ｖｉ３までランプ状に緩やかに（例えば、１．３Ｖ／μｓｅｃで）上昇させて上りランプ電圧Ｌ１’を発生する。
【０１３８】
ミラー積分回路５５は、スイッチング素子Ｑ３とコンデンサＣ３と抵抗Ｒ３とを有し、維持期間の最後に、基準電位Ａを上りランプ電圧Ｌ１’よりも急峻な勾配（例えば、１０Ｖ／μｓｅｃ）で電圧Ｖｅｒｓまで上昇させて消去ランプ電圧Ｌ３を発生する。
【０１３９】
ミラー積分回路５４は、スイッチング素子Ｑ２とコンデンサＣ２と抵抗Ｒ２とを有し、初期化動作時に、基準電位Ａを電圧Ｖｉ４までランプ状に緩やかに（例えば、−１．５Ｖ／μｓｅｃの勾配で）下降させて下りランプ電圧Ｌ２を発生し、基準電位Ａを電圧Ｖｉ５までランプ状に緩やかに（例えば、−１．５Ｖ／μｓｅｃの勾配で）下降させて下りランプ電圧Ｌ４を発生する。
【０１４０】
電圧Ｖｉ５は制御信号発生回路４０から供給される制御信号にもとづき変化する。電圧Ｖｉ５は、ミラー積分回路５４を動作する時間を制御することで、任意の電圧に設定することができる。
【０１４１】
走査パルス発生回路５２は、ｎ本の走査電極ＳＣ１〜走査電極ＳＣｎのそれぞれに走査パルスを印加するためのスイッチング素子ＱＨ１〜スイッチング素子ＱＨｎおよびスイッチング素子ＱＬ１〜スイッチング素子ＱＬｎを備えている。スイッチング素子ＱＨｊ（ｊ＝１〜ｎ）の一方の端子とスイッチング素子ＱＬｊの一方の端子とは互いに接続されており、その接続箇所が走査パルス発生回路５２の出力端子となって、走査電極ＳＣｊに接続されている。また、スイッチング素子ＱＨｊの他方の端子は入力端子ＩＮｂであり、スイッチング素子ＱＬｊの他方の端子は入力端子ＩＮａである。
【０１４２】
なお、スイッチング素子ＱＨ１〜スイッチング素子ＱＨｎ、スイッチング素子ＱＬ１〜スイッチング素子ＱＬｎは複数の出力毎にまとめられ、ＩＣ化されている。このＩＣが走査ＩＣである。
【０１４３】
また、走査パルス発生回路５２は、書込み期間において基準電位Ａを負極性の電圧Ｖａに接続するためのスイッチング素子Ｑ５と、電圧Ｖｓｃを発生し基準電位Ａに電圧Ｖｓｃを重畳する電源ＶＳＣと、基準電位Ａに電圧Ｖｓｃを重畳して発生させた電圧Ｖｃを入力端子ＩＮｂに印加するためのダイオードＤｉ３１およびコンデンサＣ３１とを備えている。そして、スイッチング素子ＱＨ１〜スイッチング素子ＱＨｎの入力端子ＩＮｂには電圧Ｖｃを入力し、スイッチング素子ＱＬ１〜スイッチング素子ＱＬｎの入力端子ＩＮａには基準電位Ａを入力する。
【０１４４】
このように構成された走査パルス発生回路５２では、書込み期間においては、スイッチング素子Ｑ５をオンにして基準電位Ａを負極性の電圧Ｖａに等しくし、入力端子ＩＮａには負極性の電圧Ｖａを印加し、入力端子ＩＮｂには電圧Ｖａ＋電圧Ｖｓｃとなった電圧Ｖｃを印加する。そして、サブフィールドデータにもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負極性の走査パルス電圧Ｖａを印加する。走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃ（＝電圧Ｖｃ）を印加する。
【０１４５】
また、走査パルス発生回路５２は、特定セル初期化期間において、強制初期化波形を印加する走査電極ＳＣ（１＋２×Ｎ）に対しては、スイッチング素子ＱＬ（１＋２×Ｎ）をオフ、スイッチング素子ＱＨ（１＋２×Ｎ）をオンにする。こうすることで、スイッチング素子ＱＨ（１＋２×Ｎ）を経由して、初期化波形発生回路５１から出力される上りランプ電圧Ｌ１’に電圧Ｖｓｃを重畳した上りランプ電圧Ｌ１を走査電極ＳＣ（１＋２×Ｎ）に印加する。特定セル初期化期間において、選択初期化波形を印加する走査電極ＳＣ（２＋２×Ｎ）に対しては、スイッチング素子ＱＨ（２＋２×Ｎ）をオフ、スイッチング素子ＱＬ（２＋２×Ｎ）をオンにすることで、スイッチング素子ＱＬ（２＋２×Ｎ）を経由して走査電極ＳＣ（２＋２×Ｎ）に上りランプ電圧Ｌ１’を印加する。
【０１４６】
次に、データ電極駆動回路４２について説明する。
【０１４７】
図６は、本発明の一実施の形態におけるデータ電極駆動回路４２の一構成を概略的に示す回路図である。
【０１４８】
なお、図６には、各回路に入力される制御信号（制御信号発生回路４０から供給される制御信号、および画像信号処理回路３６から供給される画像データ）の信号経路の詳細は省略する。
【０１４９】
データ電極駆動回路４２は、スイッチング素子Ｑ９１Ｈ１〜スイッチング素子Ｑ９１Ｈｍ、スイッチング素子Ｑ９１Ｌ１〜スイッチング素子Ｑ９１Ｌｍを有する。そして、書込み期間においては、画像データにもとづき（図面では、画像データの詳細は省略）、データ電極Ｄｊに電圧０（Ｖ）を印加するときには、スイッチング素子Ｑ９１Ｌｊをオンにしスイッチング素子Ｑ９１Ｈｊをオフにする。またデータ電極Ｄｊに電圧Ｖｄを印加するときには、スイッチング素子Ｑ９１Ｌｊをオフにしスイッチング素子Ｑ９１Ｈｊをオンにする。
【０１５０】
また、選択初期化期間においては、制御信号発生回路４０から供給される制御信号にもとづき、スイッチング素子Ｑ９１Ｌ１〜スイッチング素子Ｑ９１Ｌｍをオフにしスイッチング素子Ｑ９１Ｈ１〜Ｑ９１Ｈｍをオンにすることでデータ電極Ｄ１〜データ電極Ｄｍに電圧Ｖｄ（＝電圧Ｖｇ）を印加する。
【０１５１】
次に、データ負荷検出回路３７の動作について説明する。
【０１５２】
図７は、本発明の一実施の形態におけるプラズマディスプレイ装置３０においてパネル１０に表示する点灯パターンの一例を部分的に拡大して示す図である。
【０１５３】
図８は、本発明の一実施の形態におけるプラズマディスプレイ装置３０においてパネル１０に表示する点灯パターンの他の例を部分的に拡大して示す図である。
【０１５４】
図７、図８では、１つの放電セルを１つのマスで表しており、マスの中に記されている「１」はその放電セルが点灯することを表し、「０」はその放電セルが非点灯であることを表す。
【０１５５】
図７、図８に示す点灯パターンでは、放電セルの点灯比率は、ともに約５０％である。したがって、図７、図８に示す点灯パターンでは、点灯する放電セル（以下、「点灯セル」と記す）の数と非点灯の放電セル（以下、「非点灯セル」と記す）の数とは互いにほぼ同数である。ただし、図７に示す点灯パターンと図８に示す点灯パターンとは点灯パターンが互いに異なる。
【０１５６】
図７に示す点灯パターンでは、垂直方向（列方向）に並ぶ放電セルは点灯・非点灯を交互に繰り返す。しかし、水平方向（行方向）に並ぶ放電セルは点灯または非点灯が連続する。したがって、互いに隣接する２つの放電セルで考えると、水平方向に隣接する放電セルは、互いが同時に点灯するか、または同時に非点灯となり、垂直方向に隣接する放電セルは、一方が点灯であれば他方は非点灯となる。例えば、１行（１ライン）毎に繰り返される横縞模様の図柄をパネル１０に表示すると、図７に示した点灯パターンで各放電セルが点灯する。
【０１５７】
このような点灯パターンで各放電セルを点灯するときには、互いに隣接する２本のデータ電極２２で考えると、その２本のデータ電極２２に同時に書込みパルスが印加される状態と、その２本のデータ電極２２にともに書込みパルスが印加されない状態とが交互に繰り返される。例えば、データ電極Ｄｊ−１、データ電極Ｄｊ、データ電極Ｄｊ＋１で考えれば、データ電極Ｄｊに書込みパルスが印加されていれば、データ電極Ｄｊ−１およびデータ電極Ｄｊ＋１にも書込みパルスが印加され、データ電極Ｄｊに書込みパルスが印加されなければ、データ電極Ｄｊ−１およびデータ電極Ｄｊ＋１にも書込みパルスは印加されない。
【０１５８】
図８に示す点灯パターンでは、垂直方向（列方向）に並ぶ放電セルは点灯・非点灯を交互に繰り返す。そして、水平方向（行方向）に並ぶ放電セルも点灯・非点灯を交互に繰り返す。したがって、互いに隣接する２つの放電セルで考えると、水平方向に隣接する放電セルでは、一方が点灯であれば他方は非点灯となり、垂直方向に隣接する放電セルも、一方が点灯であれば他方は非点灯となる。例えば、１放電セル毎に繰り返される市松模様の図柄をパネル１０に表示すると、図８に示した点灯パターンで各放電セルが点灯する。
【０１５９】
このような点灯パターンで各放電セルを点灯するときには、互いに隣接する２本のデータ電極２２で考えると、一方のデータ電極２２に書込みパルスが印加されていれば、他方のデータ電極２２には書込みパルスが印加されず、他方のデータ電極２２に書込みパルスが印加されていれば、一方のデータ電極２２には書込みパルスが印加されない。例えば、データ電極Ｄｊ−１、データ電極Ｄｊ、データ電極Ｄｊ＋１で考えれば、データ電極Ｄｊに書込みパルスが印加されていれば、データ電極Ｄｊ−１およびデータ電極Ｄｊ＋１には書込みパルスが印加されず、データ電極Ｄｊ−１に書込みパルスが印加されていれば、データ電極Ｄｊには書込みパルスが印加されず、データ電極Ｄｊ＋１には書込みパルスが印加される。
【０１６０】
データ電極Ｄ１〜データ電極Ｄｍを駆動するデータ電極駆動回路４２側から見れば、データ電極Ｄ１〜データ電極Ｄｍのそれぞれは容量性の負荷である。
【０１６１】
そして、データ電極駆動回路４２は、データ電極２２に印加する電圧を電圧０（Ｖ）から電圧Ｖｄへ上昇するときには、データ電極２２の電圧が電圧Ｖｄになるまでこの容量に充電しなければならない。また、データ電極２２に印加する電圧を電圧Ｖｄから電圧０（Ｖ）へ下降するときには、データ電極２２の電圧が電圧０（Ｖ）になるまでこの容量から放電しなければならない。すなわち、データ電極駆動回路４２は、書込み期間においてデータ電極２２に書込みパルスを印加するたびに、この容量への充放電を行わなければならない。
【０１６２】
データ電極駆動回路４２がこの容量に対して充放電を行う回数と、データ電極駆動回路４２における消費電力とは関連しており、その充放電を行う回数が増加すると、データ電極駆動回路４２における消費電力も増加する。そして、データ電極駆動回路４２における消費電力が増加し、データ電極駆動回路４２に電力を供給する電源回路の負荷が増大すれば、その電源回路からデータ電極駆動回路４２に供給される電源電圧が低下するおそれもある。
【０１６３】
また、データ電極Ｄ１〜データ電極Ｄｍはそれぞれが容量性の負荷であるので、互いに隣接する２本のデータ電極２２で考えると、一方のデータ電極２２の電圧を電圧０（Ｖ）から電圧Ｖｄへ上昇するときの消費電力は、他方のデータ電極２２の状態によって変化する。
【０１６４】
具体的には、一方のデータ電極２２の電圧を電圧０（Ｖ）から電圧Ｖｄへ上昇するときの消費電力は、他方のデータ電極２２も同様に電圧０（Ｖ）から電圧Ｖｄへ上昇するときよりも、他方のデータ電極２２の電圧が電圧０（Ｖ）または電圧Ｖｄに維持されているときの方が大きい。また、一方のデータ電極２２の電圧を電圧０（Ｖ）から電圧Ｖｄへ上昇するときの消費電力は、他方のデータ電極２２の電圧が電圧０（Ｖ）または電圧Ｖｄに維持されているときよりも、他方のデータ電極２２の電圧を電圧Ｖｄから電圧０（Ｖ）に下降するときの方が大きい。
【０１６５】
したがって、データ電極駆動回路４２における消費電力は、図７に示す点灯パターンで各放電セルを点灯するときよりも、図８に示す点灯パターンで各放電セルを点灯するときの方が大きい。すなわち、図８に示す点灯パターンで各放電セルを点灯すると、図７に示す点灯パターンで各放電セルを点灯するときよりも、電源回路からデータ電極駆動回路４２に供給される電源電圧がより低下するおそれがある。
【０１６６】
本実施の形態におけるプラズマディスプレイ装置３０では、上述したように、サブフィールドＳＦ２以降の各サブフィールドの初期化期間（選択初期化期間）に、データ電極Ｄ１〜データ電極Ｄｍに正の電圧Ｖｇを印加する。また、走査電極ＳＣ１〜走査電極ＳＣｎには電圧０（Ｖ）から電圧Ｖｉ５に向かって下降する下りランプ電圧Ｌ４を印加する。これにより、直前のサブフィールドで書込み放電を発生した放電セルでは初期化放電が発生する。そして、その初期化放電は、データ電極Ｄｋと走査電極ＳＣｉとの間の電位差が電圧（│Ｖｉ５│＋│Ｖｇ│）となるまで継続する。例えば、電圧Ｖｉ５＝−１１０（Ｖ）、電圧Ｖｇ＝６０（Ｖ）であれば、放電セルに印加される電圧は、データ電極Ｄｋと走査電極ＳＣｉとの間の電位差が１７０（Ｖ）になるまで徐々に増加し、その間、初期化放電は継続する。
【０１６７】
こうして、この初期化放電（選択初期化放電）を発生した放電セルでは、続く書込み期間に安定に書込み動作が行えるように、壁電荷が調整される。
【０１６８】
このとき、電源回路からデータ電極駆動回路４２に供給される電源電圧が低下し、選択初期化期間にデータ電極３２に印加する電圧Ｖｇの電圧値が低下すると、データ電極Ｄｋと走査電極ＳＣｉとの間の最大電位差が本来の電圧（│Ｖｉ５│＋│Ｖｇ│）よりも低下し、初期化放電が不十分となり、壁電荷の調整が不十分となって、続く書込み期間の書込み動作が不安定になるおそれがある。
【０１６９】
そこで、本実施の形態におけるプラズマディスプレイ装置３０では、電圧Ｖｇに発生する電圧低下を推定し、その電圧低下に相当する電圧だけ電圧Ｖｉ５を低下して、電圧Ｖｇに電圧低下が発生したときでも初期化放電が安定に行えるようにする。
【０１７０】
具体的には、データ負荷検出回路３７において、負荷の大きさ（負荷値）を算出する対象となる放電セル（以下、「対象セル」と記す）の点灯状態（点灯・非点灯）、対象セルの左右に隣接する放電セルの点灯状態、および、対象セルの上下に隣接する放電セルの点灯状態にもとづき、対象セルの負荷値を算出する。
【０１７１】
なお、各放電セルにおける点灯状態は、サブフィールド毎の各放電セルにおける点灯・非点灯を表す画像データにもとづき判断する。
【０１７２】
さらに、データ負荷検出回路３７は、各行毎に（各ライン毎に）、表示電極対２４上に形成される１ライン分の放電セル（すなわち、ｍ個の放電セル）の負荷値の総和（以下、「ライン総和」と記す）を算出する。
【０１７３】
この負荷値のライン総和が相対的に小さければ、そのラインで書込み動作を行うときのデータ電極駆動回路４２における消費電力は相対的に少なくなる。また、この負荷値のライン総和が相対的に大きければ、そのラインで書込み動作を行うときのデータ電極駆動回路４２における消費電力は相対的に多くなる。したがって、この負荷値のライン総和は、データ電極駆動回路４２におけるライン毎の消費電力の推定値として用いることができる。
【０１７４】
また、負荷値のライン総和を全ラインにわたって累積した数値（以下、「負荷値の総和」と記す）が相対的に小さければ、その書込み期間におけるデータ電極駆動回路４２の消費電力は相対的に少なくなり、この負荷値の総和が相対的に大きければ、その書込み期間におけるデータ電極駆動回路４２の消費電力は相対的に多くなる。したがって、この負荷値の総和は、書込み期間におけるデータ電極駆動回路４２の消費電力の推定値として用いることができる。
【０１７５】
データ電極駆動回路４２における消費電力が増加し、データ電極駆動回路４２に電力を供給する電源回路の負荷が増大すれば、その電源回路からデータ電極駆動回路４２に供給される電源電圧が低下する。
【０１７６】
したがって、データ電極駆動回路４２における消費電力を推定できれば、電源回路からデータ電極駆動回路４２に供給される電源電圧の低下を推定することができる。すなわち、この負荷値の総和は、電源回路からデータ電極駆動回路４２に供給される電源電圧の電圧低下の推定値として用いることができる。
【０１７７】
なお、データ電極駆動回路４２における消費電力が少なくなり、データ電極駆動回路４２に電力を供給する電源回路の負荷が小さくなれば、その電源回路からデータ電極駆動回路４２に供給される電源電圧は元の電圧に向かって徐々に回復する。
【０１７８】
そこで、本実施の形態におけるデータ負荷検出回路３７は、データ電極駆動回路４２の消費電力が少ないときに生じる電源電圧の回復も含めて電源電圧の電圧低下の推定値を算出できるように、負荷値の総和から一定の周期で「回復値」を減算する。この周期は、例えば、書込み動作と同じ周期である。したがって、書込み期間では、ライン総和が１ライン毎に累積加算されて負荷値の総和が徐々に増加するが、同時に、その負荷値の総和から回復値が１ライン毎に減算される。
【０１７９】
例えば、書込み期間の最後にライン総和が「０」であるラインが連続すれば、その間、負荷値の総和から「回復値」が１ライン毎に減算され、負荷値の総和は徐々に小さくなる。
【０１８０】
なお、本実施の形態においては、負荷値の総和の最低値を「０」としているので、書込み期間の初期にライン総和が「０」であるラインが連続し、負荷値の総和がその間「０」であっても、「回復値」によって負荷値の総和が負の数値になることはない。
【０１８１】
これにより、プラズマディスプレイ装置３０では、そのサブフィールドの書込み期間におけるデータ電極駆動回路４２の消費電力を推定することができ、そのサブフィールドの書込み期間終了時における、電源回路からデータ電極駆動回路４２に供給される電源電圧の電圧低下を推定することができる。
【０１８２】
なお、上述したように、データ電極駆動回路４２の消費電力が少なくなれば、電源回路からデータ電極駆動回路４２に供給される電源電圧は元の電圧に向かって徐々に回復する。そして、維持期間では、データ電極３２は電圧０（Ｖ）に維持されるため、データ電極駆動回路４２の消費電力は非常に少なく、電源回路からデータ電極駆動回路４２に供給される電源電圧は元の電圧に向かって徐々に回復する。
【０１８３】
そこで、本実施の形態では、書込み期間が終了した時点でライン総和を負荷値の総和に累積加算する動作を終了しても、続く維持期間において、負荷値の総和から一定の周期で回復値を減算する動作は継続する。
【０１８４】
したがって、初期化期間の直前における負荷値の総和から、初期化期間の直前における電源回路からデータ電極駆動回路４２に供給される電源電圧の電圧低下を推定することができる。すなわち、選択初期化期間の直前における負荷値の総和を、選択初期化期間にデータ電極駆動回路４２からデータ電極３２に印加する電圧Ｖｇの電圧低下の推定値として用いることができる。
【０１８５】
このように、本実施の形態におけるプラズマディスプレイ装置３０は、データ負荷検出回路３７において各ライン毎に負荷値のライン総和を算出するとともにそのライン総和を累積加算して負荷値の総和を算出する。さらに、負荷値の総和から、一定の周期で回復値を減算する。そして、初期化期間の直前における負荷値の総和にもとづき、選択初期化期間にデータ電極駆動回路４２からデータ電極３２に印加される電圧Ｖｇの電圧低下を推定する。
【０１８６】
次に、図９Ａ〜図９Ｅを用いて、注目画素の負荷値を算出する方法を説明する。
【０１８７】
図９Ａは、本発明の一実施の形態におけるプラズマディスプレイ装置３０において互いに隣接する放電セルの点灯パターンの一例を概略的に示す図である。
【０１８８】
図９Ｂは、本発明の一実施の形態におけるプラズマディスプレイ装置３０において互いに隣接する放電セルの点灯パターンの他の例を概略的に示す図である。
【０１８９】
図９Ｃは、本発明の一実施の形態におけるプラズマディスプレイ装置３０において互いに隣接する放電セルの点灯パターンの他の例を概略的に示す図である。
【０１９０】
図９Ｄは、本発明の一実施の形態におけるプラズマディスプレイ装置３０において互いに隣接する放電セルの点灯パターンの他の例を概略的に示す図である。
【０１９１】
図９Ｅは、本発明の一実施の形態におけるプラズマディスプレイ装置３０において互いに隣接する放電セルの点灯パターンの他の例を概略的に示す図である。
【０１９２】
図９Ａ〜図９Ｅでは、１つの放電セルを１つのマスで表しており、図９Ａ〜図９Ｅには、垂直方向（列方向）に連続する３本の走査電極２２（走査電極ＳＣｊ−１、走査電極ＳＣｊ、走査電極ＳＣｊ＋１）と、水平方向（行方向）に連続する２本のデータ電極３２（データ電極Ｄｅ−１、データ電極Ｄｅ）とが交差する領域に形成された６つの放電セルを示す。
【０１９３】
なお、図９Ａ〜図９Ｅにおいて、マスの中に記されている「１」はその放電セルが点灯することを表し、「０」はその放電セルが非点灯であることを表す。
【０１９４】
以下、例えば、走査電極ＳＣｊとデータ電極Ｄｅが交差する領域に設けられた放電セルを放電セル（ＳＣｊ、Ｄｅ）というように表す。また、以下の説明では、図９Ａ〜図９Ｅにおいて、丸印で囲んだ放電セルを対象セルとして説明する。したがって、以下の説明において、対象セルは放電セル（ＳＣｊ、Ｄｅ）である。
【０１９５】
図９Ａに示す点灯パターンでは、対象セルおよび対象セルの上に隣接する放電セル（ＳＣｊ−１、Ｄｅ）はともに点灯しない。したがって、走査電極ＳＣｊ−１上に設けられた放電セルへの書込み動作から走査電極ＳＣｊに設けられた放電セルへの書込み動作に切替わる際に、データ電極Ｄｅに印加する電圧は変化せず、電圧０（Ｖ）に維持されたままとなる。
【０１９６】
本実施の形態では、このようなときの負荷値を負荷値「０」とする。
【０１９７】
図９Ｂに示す点灯パターンでは、対象セルおよび対象セルの上に隣接する放電セル（ＳＣｊ−１、Ｄｅ）はともに点灯する。したがって、走査電極ＳＣｊ−１上に設けられた放電セルへの書込み動作から走査電極ＳＣｊに設けられた放電セルへの書込み動作に切替わる際に、データ電極Ｄｅに印加する電圧は変化せず、電圧Ｖｄに維持されたままとなる。
【０１９８】
本実施の形態では、このようなときの負荷値も負荷値「０」とする。
【０１９９】
図９Ｃに示す点灯パターンでは、対象セルの上に隣接する放電セル（ＳＣｊ−１、Ｄｅ）は点灯せず、対象セルは点灯する。そのため、走査電極ＳＣｊ−１上に設けられた放電セルへの書込み動作から走査電極ＳＣｊに設けられた放電セルへの書込み動作に切替わる際に、データ電極Ｄｅに印加する電圧は電圧０（Ｖ）から電圧Ｖｄに変化する。このとき、対象セルと放電セル（ＳＣｊ−１、Ｄｅ）との間に生じる容量への充電が発生する。
【０２００】
また、図９Ｃに示す点灯パターンでは、対象セルの左上に隣接する放電セル（ＳＣｊ−１、Ｄｅ−１）は点灯せず、対象セルの左に隣接する放電セル（ＳＣｊ、Ｄｅ−１）は点灯する。そのため、データ電極Ｄｅに印加する電圧が電圧０（Ｖ）から電圧Ｖｄに変化するときに、データ電極Ｄｅ−１に印加する電圧も、同様に、電圧０（Ｖ）から電圧Ｖｄに変化する。すなわち、データ電極Ｄｅに印加する電圧と、データ電極Ｄｅ−１に印加する電圧とは、互いに同相に変化する。このとき、対象セルと放電セル（ＳＣｊ、Ｄｅ−１）との間に生じる容量への充電は発生しない。
【０２０１】
本実施の形態では、このようなときの負荷値を、例えば、負荷値「１」とする。
【０２０２】
図９Ｄに示す点灯パターンでは、対象セルの上に隣接する放電セル（ＳＣｊ−１、Ｄｅ）は点灯せず、対象セルは点灯する。そのため、走査電極ＳＣｊ−１上に設けられた放電セルへの書込み動作から走査電極ＳＣｊに設けられた放電セルへの書込み動作に切替わる際に、データ電極Ｄｅに印加する電圧は電圧０（Ｖ）から電圧Ｖｄに変化する。このとき、対象セルと放電セル（ＳＣｊ−１、Ｄｅ）との間に生じる容量への充電が発生する。
【０２０３】
一方、図９Ｄに示す点灯パターンでは、対象セルの左上に隣接する放電セル（ＳＣｊ−１、Ｄｅ−１）は点灯せず、対象セルの左に隣接する放電セル（ＳＣｊ、Ｄｅ−１）も点灯しない。そのため、データ電極Ｄｅに印加する電圧が電圧０（Ｖ）から電圧Ｖｄに変化するときに、データ電極Ｄｅ−１に印加する電圧は電圧０（Ｖ）に維持されたままとなる。このとき、対象セルと放電セル（ＳＣｊ、Ｄｅ−１）との間に生じる容量への充電が発生する。
【０２０４】
本実施の形態では、このようなときの負荷値を、例えば、負荷値「２」とする。
【０２０５】
なお、図示はしないが、対象セルの上に隣接する放電セル（ＳＣｊ−１、Ｄｅ）は点灯せず、対象セルは点灯し、対象セルの左上に隣接する放電セル（ＳＣｊ−１、Ｄｅ−１）と、対象セルの左に隣接する放電セル（ＳＣｊ、Ｄｅ−１）とがともに点灯するときには、データ電極Ｄｅに印加する電圧が電圧０（Ｖ）から電圧Ｖｄに変化するときに、データ電極Ｄｅ−１に印加する電圧は電圧Ｖｄに維持されたままとなる。本実施の形態では、このようなときの負荷値も、図９Ｄに示す点灯パターンと同様に、負荷値「２」とする。
【０２０６】
図９Ｅに示す点灯パターンでは、対象セルの上に隣接する放電セル（ＳＣｊ−１、Ｄｅ）は点灯せず、対象セルは点灯する。そのため、走査電極ＳＣｊ−１上に設けられた放電セルへの書込み動作から走査電極ＳＣｊに設けられた放電セルへの書込み動作に切替わる際に、データ電極Ｄｅに印加する電圧は電圧０（Ｖ）から電圧Ｖｄに変化する。このとき、対象セルと放電セル（ＳＣｊ−１、Ｄｅ）との間に生じる容量への充電が発生する。
【０２０７】
一方、図９Ｅに示す点灯パターンでは、対象セルの左上に隣接する放電セル（ＳＣｊ−１、Ｄｅ−１）は点灯し、対象セルの左に隣接する放電セル（ＳＣｊ、Ｄｅ−１）は点灯しない。そのため、データ電極Ｄｅに印加する電圧が電圧０（Ｖ）から電圧Ｖｄに変化するときに、データ電極Ｄｅ−１に印加する電圧は電圧Ｖｄから電圧０（Ｖ）に変化する。すなわち、データ電極Ｄｅに印加する電圧と、データ電極Ｄｅ−１に印加する電圧とは、互いに逆相に変化する。このとき、対象セルと放電セル（ＳＣｊ−１、Ｄｅ）との間に生じる容量への充電量は、図９Ｄに示す点灯パターンのときよりも大きくなる。
【０２０８】
本実施の形態では、このようなときの負荷値を、例えば、負荷値「３」とする。
【０２０９】
そして、本実施の形態におけるデータ負荷検出回路３７は、上述した計算方法にもとづき、画像信号処理回路３６から供給される画像データから、放電セル毎の負荷値を算出する。そして、データ負荷検出回路３７は、各行毎に（各ライン毎に）、表示電極対２４上に形成される１ライン分の放電セル（すなわち、ｍ個の放電セル）の負荷値のライン総和を算出する。さらに、データ負荷検出回路３７は、書込み期間の間、ライン総和を累積加算し、負荷値の総和を算出する。さらに、データ負荷検出回路３７は、負荷値の総和から、一定の周期（例えば、一回の書込み動作と同じ周期）で回復値を減算する。
【０２１０】
データ負荷検出回路３７において算出された負荷値の総和は、制御信号発生回路４０に出力され、制御信号発生回路４０は選択初期化期間の直前における負荷値の総和にもとづき、選択初期化波形の最低電圧である電圧Ｖｉ５を制御する。
【０２１１】
以下、本実施の形態におけるプラズマディスプレイ装置３０の具体的な動作例について、図１０を用いて説明する。
【０２１２】
図１０は、本発明の一実施の形態におけるプラズマディスプレイ装置３０においてパネル１０に表示する画像の図柄の一例を概略的に示す図である。
【０２１３】
なお、以下の説明において、パネル１０は、１０８０本の表示電極対２４と、１９２０×３本のデータ電極３２を有するものとする。
【０２１４】
図１０に示す画像は、１ライン目から１９９ライン目までは白を表示し、２００ライン目から８００ライン目までは市松模様を表示し、８０１ライン目から１０８０ライン目までは白を表示する図柄である。なお、この市松模様は、図８に示したように、垂直方向（列方向）に並ぶ放電セルは点灯・非点灯を交互に繰り返し、水平方向（行方向）に並ぶ放電セルも点灯・非点灯を交互に繰り返す図柄である。また、図１０に示す画像の図柄は、白の領域では全サブフィールドが点灯し、市松模様は、全サブフィールドが点灯する白と、全サブフィールドが非点灯となる黒とで構成されているものとする。
【０２１５】
図１１は、本発明の一実施の形態におけるプラズマディスプレイ装置３０において書込みパルスに生じる電圧低下の一例を概略的に示す図である。
【０２１６】
図１１において、縦軸は、データ電極３２に印加される書込みパルスの電圧を表し、横軸は、パネル１０のラインを表す。
【０２１７】
図１１には、図１０に示す図柄の画像をパネル１０に表示したときの、データ電極３２に印加される書込みパルスの電圧を測定した結果を示す。
【０２１８】
上述したように、１ライン目から１９９ライン目までの期間、データ電極駆動回路４２における消費電力は非常に小さい。そのため、図１１に示すように、この期間では、書込みパルスの電圧Ｖｄに電圧低下はほとんど生じていない。
【０２１９】
一方、２００ライン目から８００ライン目までの期間、データ電極駆動回路４２における消費電力は非常に大きい。そのため、図１１に示すように、この期間では、書込みパルスの電圧Ｖｄに電圧低下が生じている。例えば、図１１に示す例では、２００ライン目の電圧Ｖｄは約６０（Ｖ）であるが、８００ライン目の電圧Ｖｄは約５６（Ｖ）であり、２００ライン目の電圧Ｖｄから約４（Ｖ）電圧低下している。
【０２２０】
８０１ライン目から１０８０ライン目までの期間、データ電極駆動回路４２における消費電力は非常に小さい。そのため、図１１に示すように、この期間では、書込みパルスの電圧Ｖｄは徐々に元の電圧（６０（Ｖ））に向かって回復している。例えば、図１１に示す例では、１０８０ライン目の電圧Ｖｄは約５６．５（Ｖ）であり、８０１ライン目の電圧Ｖｄから約０．５（Ｖ）電圧が回復している。
【０２２１】
書込みパルスの電圧Ｖｄの低下は、データ電極駆動回路４２に供給される電源電圧の低下を示している。そして、データ電極駆動回路４２に供給される電源電圧が低下すると、書込みパルスの電圧Ｖｄの低下と同様に、選択初期化期間にデータ電極駆動回路４２からデータ電極３２に印加する電圧Ｖｇも低下する。
【０２２２】
そして、本実施の形態におけるデータ負荷検出回路３７は、データ電極駆動回路４２に供給される電源電圧の低下を精度良く推定することができる。
【０２２３】
例えば、図１０に示す図柄の画像をパネル１０に表示すると、１ライン目から１９９ライン目までの期間はパネル１０に白を表示するため、図９Ｂに示す点灯パターンで各放電セルが点灯する。したがって、１ライン目から１９９ライン目までの各放電セルの負荷値は「０」となり、負荷値のライン総和も「０」となる。したがって、この間、負荷値の総和は「０」のままである。
【０２２４】
なお、この間、データ負荷検出回路３７は、負荷値の総和から、一定の周期（例えば、一回の書込み動作と同じ周期）で回復値を減算するが、負荷値の総和の最小値が「０」に制限されるため、負荷値の総和は「０」に維持される。
【０２２５】
２００ライン目から８００ライン目までの市松模様を表示する期間は、図９Ｅに示す点灯パターンで各放電セルが点灯する。したがって、２００ライン目から８００ライン目までの放電セルの約半数は負荷値が「３」となる。例えば、１ラインに設けられる放電セルの数が１９２０×３であれば、負荷値のライン総和は、３×１９２０×３／２となる。したがって、２００ライン目から８００ライン目までは、負荷値の総和にはライン毎に３×１９２０×３／２が加算される。
【０２２６】
なお、この間も、データ負荷検出回路３７は、負荷値の総和から、一定の周期で回復値を減算するが、ライン総和が回復値よりも大きいので、負荷値の総和は徐々に増加する。
【０２２７】
なお、この市松模様をパネル１０に表示したときに、負荷値のライン総和は最大値となる。すなわち、この３×１９２０×３／２という数値がライン総和の最大値となる。
【０２２８】
８０１ライン目から１０８０ライン目までの期間はパネル１０に白を表示するため、図９Ｂに示す点灯パターンで各放電セルが点灯する。したがって、８０１ライン目から１０８０ライン目までの各放電セルの負荷値は「０」となり、負荷値のライン総和も「０」となる。したがって、この間、負荷値の総和は増加しない。
【０２２９】
なお、この間も、データ負荷検出回路３７は、負荷値の総和から、一定の周期で回復値を減算する。したがって、負荷値の総和は徐々に減少する。
【０２３０】
このように、本実施の形態において、負荷値の総和の増減は、図１１に示した書込みパルスの電圧の測定値とほぼ一致する。したがって、負荷値の総和を用いてれば、非常に精度良く、選択初期化期間における電圧Ｖｇの低下を推定することができる。
【０２３１】
そして、選択初期化期間において、電圧Ｖｇの低下を補うためには、選択初期化波形の最低電圧Ｖｉ５を、電圧Ｖｇの電圧低下と同じ電圧だけ下げればよい。
【０２３２】
例えば、電圧Ｖｉ５＝−１１０（Ｖ）、電圧Ｖｇ＝６０（Ｖ）であれば、選択初期化期間の最後におけるデータ電極３２と走査電極２２との間の電位差（最大電位差）は、１７０（Ｖ）である。したがって、電圧Ｖｇに３．５（Ｖ）の電圧低下が発生し、電圧Ｖｇ＝５６．５（Ｖ）になったときには、電圧Ｖｉ５を−１１３．５（Ｖ）にすればよい。こうすることで、初期化期間の最後におけるデータ電極３２と走査電極２２との間の最大電位差を、１７０（Ｖ）に維持することができる。
【０２３３】
このように、本実施の形態におけるプラズマディスプレイ装置３０は、選択初期化期間おける電圧Ｖｇの低下を、その直前のサブフィールドにおいて画像データにもとづき負荷値の総和を算出することで精度良く推定し、電圧Ｖｇの低下分に相当する電圧（電圧ΔＶｇ）だけ選択初期化波形の最低電圧Ｖｉ５を低下する。
【０２３４】
すなわち、プラズマディスプレイ装置３０は、データ負荷検出回路３７において、画像信号処理回路３６から供給される画像データにもとづき、各放電セルにおける負荷値を算出する。そして、各行毎に（各ライン毎に）、表示電極対２４上に形成される１ライン分の放電セル（ｍ個の放電セル）の負荷値のライン総和を算出する。さらに、負荷値のライン総和を全ラインにわたって累積して負荷値の総和を算出するとともに、負荷値の総和から一定の周期で「回復値」を減算する。その算出結果はデータ負荷検出回路３７から制御信号発生回路４０に送られ、制御信号発生回路４０はその算出結果にもとづき、選択初期化波形の最低電圧Ｖｉ５を制御するように制御信号を発生する。そして、走査電極駆動回路４３は、最低電圧Ｖｉ５がその制御信号にもとづく電圧となるように選択初期化波形を発生し、選択初期化期間に走査電極２２に印加する。
【０２３５】
これにより、選択初期化期間の最後におけるデータ電極３２と走査電極２２との間の最大電位差を、直前のサブフィールドの書込み期間におけるデータ電極駆動回路４２の消費電力にかかわらず一定の電位差（例えば、１７０（Ｖ））にすることができるので、初期化放電による壁電荷の調整が不十分となることを防止し、続く書込み期間において安定に書込み放電を発生することが可能となる。
【０２３６】
なお、本実施の形態では、負荷値の総和にもとづき、電圧Ｖｉ５を次のように制御する。
１）負荷値の総和が最大値の１５％未満であれば、電圧Ｖｉ５は元の電圧のまま変更しない。
２）負荷値の総和が最大値の１５％以上、かつ最大値の３０％未満であれば、電圧Ｖｉ５を元の電圧から１（Ｖ）低い電圧に変更する。
３）負荷値の総和が最大値の３０％以上、かつ最大値の４５％未満であれば、電圧Ｖｉ５を元の電圧から２（Ｖ）低い電圧に変更する。
４）負荷値の総和が最大値の４５％以上、かつ最大値の６０％未満であれば、電圧Ｖｉ５を元の電圧から３（Ｖ）低い電圧に変更する。
５）負荷値の総和が最大値の６０％以上、かつ最大値の７５％未満であれば、電圧Ｖｉ５を元の電圧から４（Ｖ）低い電圧に変更する。
６）負荷値の総和が最大値の７５％以上であれば、電圧Ｖｉ５を元の電圧から５（Ｖ）低い電圧に変更する。
【０２３７】
なお、この「最大値」は、図８に示した市松模様をパネル１０の画像表示領域の全面に表示したときの負荷値の総和のことである。このとき、パネル１０の全ラインのそれぞれでライン総和は最大値となる。例えば、パネル１０が１９２０×１０８０の画素を有し、１９２０×３×１０８０の放電セルを有するときは、この「最大値」は、３×１９２０×３×１／２×１０８０から回復値×１０８０を減算した値となる。
【０２３８】
また、本実施の形態において、回復値は、ライン総和の最大値の５％とする。例えば、１ライン上に１９２０×３の放電セルを有するときは、回復値は、３×１９２０×３×１／２×０．０５となる。
【０２３９】
しかし、本発明は何らこれらの数値に限定されるものではない。各数値はパネル１０の特性やプラズマディスプレイ装置３０における仕様等に応じて最適な値に設定することが望ましい。
【０２４０】
なお、図３に示した駆動電圧波形は本発明の実施の形態における一例を示したものに過ぎず、本発明は何らこれらの駆動電圧波形に限定されるものではない。
【０２４１】
また、図４、図５、図６に示した回路構成も本発明の実施の形態における一例を示したものに過ぎず、本発明は何らこれらの回路構成に限定されるものではない。
【０２４２】
なお、本実施の形態では、各放電セルで２フィールドに１回の割合で強制初期化波形による初期化動作を行う構成を説明したが、本発明は何らこの構成に限定されるものではない。各放電セルで強制初期化波形による初期化動作を行う頻度は、３フィールドに１回であってもよく、それ以下の頻度であってもよい。
【０２４３】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２４４】
なお、本発明における実施の形態では、１つのフィールドを１０のサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。あるいは、サブフィールドの数をより少なくすることで、パネル１０の駆動に要する時間を短縮することができる。
【０２４５】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０２４６】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの仕様やパネルの特性、およびプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２４７】
本発明は、電極の数が増加し、電極を駆動するときのインピーダンスが増大しやすい大画面化・高精細化されたパネルを用いたプラズマディスプレイ装置においても、表示画像のコントラストを向上してプラズマディスプレイ装置における画像表示品質を向上するとともに、初期化放電による壁電荷の調整を十分に行い安定に書込み放電を発生することができるので、プラズマディスプレイ装置の駆動方法およびプラズマディスプレイ装置として有用である。
【符号の説明】
【０２４８】
１０    パネル
２１    前面基板
２２    走査電極
２３    維持電極
２４    表示電極対
２５，３３    誘電体層
２６    保護層
３０    プラズマディスプレイ装置
３１    背面基板
３２    データ電極
３４    隔壁
３５，３５Ｒ，３５Ｇ，３５Ｂ    蛍光体層
３６    画像信号処理回路
３７    データ負荷検出回路
４０    制御信号発生回路
４２    データ電極駆動回路
４３    走査電極駆動回路
４４    維持電極駆動回路
５０    維持パルス発生回路
５１    初期化波形発生回路
５２    走査パルス発生回路
５３，５４，５５    ミラー積分回路
５６    電力回収回路
５７    クランプ回路
Ｑ１，Ｑ２，Ｑ３，Ｑ５，Ｑ６，Ｑ７，Ｑ１１，Ｑ１２，Ｑ１３，Ｑ１４，ＱＨ１〜ＱＨｎ，ＱＬ１〜ＱＬｎ，Ｑ９１Ｈ１〜Ｑ９１Ｈｍ，Ｑ９１Ｌ１〜Ｑ９１Ｌｍ    スイッチング素子
Ｃ１，Ｃ２，Ｃ３，Ｃ１１，Ｃ３１    コンデンサ
Ｄｉ１，Ｄｉ２，Ｄｉ３１    ダイオード
Ｒ１，Ｒ２，Ｒ３    抵抗
Ｌ１１    インダクタ
Ｌ１，Ｌ１’    上りランプ電圧
Ｌ２，Ｌ４    下りランプ電圧
Ｌ３    消去ランプ電圧
【図１】
2012073516.tif 000003
【図２】
2012073516.tif 000004
【図３】
2012073516.tif 000005
【図４】
2012073516.tif 000006
【図５】
2012073516.tif 000007
【図６】
2012073516.tif 000008
【図７】
2012073516.tif 000009
【図８】
2012073516.tif 000010
【図９Ａ】
2012073516.tif 000011
【図９Ｂ】
2012073516.tif 000012
【図９Ｃ】
2012073516.tif 000013
【図９Ｄ】
2012073516.tif 000014
【図９Ｅ】
2012073516.tif 000015
【図１０】
2012073516.tif 000016
【図１１】
2012073516.tif 000017
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
走査電極と維持電極とからなる表示電極対とデータ電極とを有する放電セルを複数備えたプラズマディスプレイパネルに、初期化期間と書込み期間と維持期間とを有するサブフィールドを１フィールド内に複数設けて階調を表示するプラズマディスプレイ装置の駆動方法であって、
前記初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行い、
１フィールド内には、特定の放電セルで強制初期化動作を行い他の放電セルでは選択初期化動作を行う初期化期間を有する特定セル初期化サブフィールドと、全ての放電セルで選択初期化動作を行う初期化期間を有する選択初期化サブフィールドとを設け、
前記選択初期化動作においては、前記走査電極に下り傾斜波形電圧を印加するとともに前記データ電極には正の電圧を印加し、
前記選択初期化サブフィールドでは、直前のサブフィールドの書込み期間において算出する前記データ電極を駆動する際に前記データ電極の対象セルの点灯状態と、前記対象セルに隣接する放電セルの点灯状態とによる負荷にもとづき、前記下り傾斜波形電圧の最低電圧を制御することを特徴とするプラズマディスプレイ装置の駆動方法。
【請求項２】
前記放電セルごとの負荷を累積加算することで前記書込み期間において前記データ電極を駆動する際の前記負荷を算出することを特徴とする請求項１に記載のプラズマディスプレイ装置の駆動方法。
【請求項３】
前記負荷の大きさがしきい値を超えたサブフィールドでは、前記選択初期化期間において前記下り傾斜波形電圧の最低電圧を下げることを特徴とする請求項１に記載のプラズマディスプレイ装置の駆動方法。
【請求項４】
走査電極と維持電極とからなる表示電極対とデータ電極とを有する放電セルを複数備えたプラズマディスプレイパネルと、初期化期間と書込み期間と維持期間とを有するサブフィールドを１フィールド内に複数設けて前記プラズマディスプレイパネルに階調を表示する駆動回路とを有するプラズマディスプレイ装置であって、
前記駆動回路は、前記初期化期間においては、放電セルに初期化放電を発生する強制初期化動作と、直前のサブフィールドにおいて書込み放電を発生した放電セルに選択的に初期化放電を発生する選択初期化動作とのいずれかの初期化動作を行い、１フィールド内には、特定の放電セルで強制初期化動作を行い他の放電セルでは選択初期化動作を行う初期化期間を有する特定セル初期化サブフィールドと、全ての放電セルで選択初期化動作を行う初期化期間を有する選択初期化サブフィールドとを設け、
前記選択初期化動作は、前記走査電極に下り傾斜波形電圧を印加するとともに前記データ電極には正の電圧を印加し、前記選択初期化サブフィールドでは、直前のサブフィールドの書込み期間において算出する前記データ電極を駆動する際に前記データ電極の対象セルの点灯状態と、前記対象セルに隣接する放電セルの点灯状態とによる負荷にもとづき、前記下り傾斜波形電圧の最低電圧を制御することを特徴とするプラズマディスプレイ装置。
【国際調査報告】
2012073516.tif 000018
2012073516.tif 000019
2012073516.tif 000020
2012073516.tif 000021